(57)【要約】【課題】  電子部品の着脱式固定座の提供。【解決手段】  電子部品を組み付けたり交換する時、電子部品に接続された電線を固定座の上側面の長溝に通して電線を中空収容室内に収容するか或いは中空収容室より取り出すことができ、電子部品或いは電線を破壊する必要を無くし、これにより、電子部品の取り外しと交換時の便利性を増し、電子部品の破壊を防止する。このほか、使用者が固定座の二つのＵ型弾性フックを押圧することで、その形成する弾性アーム作用により、その前端のフック部がケースと係合或いは離脱し、これにより使用者の施力に便利で、直接ケース内部で交換が行なえ、大幅に固定座のケースにおける交換の便利性を増した。【選択図】        図３
2005086193.tif 000002
【特許請求の範囲】
【請求項１】
左側面と、
該左側面に対応する位置にある右側面と、
該左側面と該右側面の下部に接続された下側面と、
該左側面と右側面の上部に接続された上側面とを具え、
左側面、右側面、下側面、上側面が共同で環状をなして内側に中空収容室を形成し、この中空収容室の前後が開口状とされ前端と後端を具え、且つ上側面を貫通する長溝が形成され、該長溝が前端より後端に延伸され、この長溝が中空収容室と相互に連通し、中空収容室の後端に中空収容室内部に向けて少なくとも一つのストッパ部が凸設され、
二つのＵ型弾性フックが左側面と右側面より外向きに湾曲し並びに前向きに延伸され、各Ｕ型弾性フックの前端にフック部が凸設されたことを特徴とする、電子部品の着脱式固定座。
【請求項２】
請求項１記載の電子部品の着脱式固定座において、中空収容室に電子部品が収容され、該電子部品の末端が少なくとも一つのストッパ部に当接し、且つ電子部品に接続された電線が長溝を通り中空収容室の後端より延伸されたことを特徴とする、電子部品の着脱式固定座。
【請求項３】
請求項２記載の電子部品の着脱式固定座において、電子部品がスイッチ装置とされたことを特徴とする、電子部品の着脱式固定座。
【請求項４】
請求項２記載の電子部品の着脱式固定座において、電子部品が回路板とされ、該回路板に少なくとも一つのＬＥＤランプが取り付けられたことを特徴とする、電子部品の着脱式固定座。
【請求項５】
請求項１記載の電子部品の着脱式固定座において、ストッパ部が横向きの棒とされたことを特徴とする、電子部品の着脱式固定座。
【発明の詳細な説明】
【技術分野】
【０００１】
本発明は電子部品の着脱式固定座に係り、特に、外部の操作に供されるか、或いは音声や光、電波の送受に供される露出した電子部品、例えばＬＥＤランプ、スイッチ装置、無線受信器、ソケット、小型ディスプレイモジュール等の電子部品に適用される着脱式固定座に関する。
【背景技術】
【０００２】
一般にコンピュータ装置のケースには外部に露出した電子部品、例えばＬＥＤランプ、スイッチ装置、無線受信器、マイクロホンジャック、イヤホンジャック等が設けられて使用者が対応する操作或いは観察を行なうのに供される。
【０００３】
図１は周知の電子部品の固定座の実施状態表示図である。そのうち、固定座９には開孔９１が開設され、開孔９１の対応する両側にフック９２が設けられ、電線９４が接続されたスイッチ装置９３が開孔９１内に収容されると共に、フック９２により固定座９がケース９５に固定され、スイッチ装置９３の固定が達成される。
【０００４】
上述のスイッチ装置９３を開孔９１に収容する過程で、まず電線９４が固定座９の開孔９１に通され、さらに電線９４がスイッチ装置９３に接続され、その後、電線９４とスイッチ装置９３全体が後方に引っ張られ、スイッチ装置９３が開孔９１内に収容される。しかし、一般に電子部品は事前に電線が接続されているため、このような組立方式は電子部品と電線を分離状態としなければならないという制限があり、このため組立プロセスが煩瑣となり、且つスイッチ装置９３が損壊して交換が必要となった場合、直接それを取り出すことができず、電線９４が開孔９１内に引っ掛かるため、電線９４或いはスイッチ装置９３のいずれか一方を破壊しなければスイッチ装置９３の交換を行なえない。
【０００５】
このほか、固定座９をケース９５に固定する時、フック９２には弾性アーム設計がないため、固定座９を取り外す時、ケース９５の外側９５１より直接フック９２の前端９２１を押圧しなければ取り外せず、取り外しが容易でなく、使用者がフック９２に施力しにくい。
【発明の開示】
【発明が解決しようとする課題】
【０００６】
本発明の主要な目的は、一種の電子部品の着脱式固定座を提供することにあり、それは、電子部品の取り外しと交換時の便利性を増し、並びに電子部品の破壊を防止する構造を有するものとする。
【０００７】
本発明のもう一つの目的は、一種の電子部品の着脱式固定座を提供することにあり、それは、固定座のケースにおける交換時の便利性を増す構造を有するものとする。
【課題を解決するための手段】
【０００８】
請求項１の発明は、左側面と、
該左側面に対応する位置にある右側面と、
該左側面と該右側面の下部に接続された下側面と、
該左側面と右側面の上部に接続された上側面とを具え、
左側面、右側面、下側面、上側面が共同で環状をなして内側に中空収容室を形成し、この中空収容室の前後が開口状とされ前端と後端を具え、且つ上側面を貫通する長溝が形成され、該長溝が前端より後端に延伸され、この長溝が中空収容室と相互に連通し、中空収容室の後端に中空収容室内部に向けて少なくとも一つのストッパ部が凸設され、
二つのＵ型弾性フックが左側面と右側面より外向きに湾曲し並びに前向きに延伸され、各Ｕ型弾性フックの前端にフック部が凸設されたことを特徴とする、電子部品の着脱式固定座としている。
請求項２の発明は、請求項１記載の電子部品の着脱式固定座において、中空収容室に電子部品が収容され、該電子部品の末端が少なくとも一つのストッパ部に当接し、且つ電子部品に接続された電線が長溝を通り中空収容室の後端より延伸されたことを特徴とする、電子部品の着脱式固定座としている。
請求項３の発明は、請求項２記載の電子部品の着脱式固定座において、電子部品がスイッチ装置とされたことを特徴とする、電子部品の着脱式固定座としている。
請求項４の発明は、請求項２記載の電子部品の着脱式固定座において、電子部品が回路板とされ、該回路板に少なくとも一つのＬＥＤランプが取り付けられたことを特徴とする、電子部品の着脱式固定座としている。
請求項５の発明は、請求項１記載の電子部品の着脱式固定座において、ストッパ部が横向きの棒とされたことを特徴とする、電子部品の着脱式固定座としている。
【発明の効果】
【０００９】
本発明の電子部品の着脱式固定座は、収容する電子部品が異なる形式とされ得て、それは、外部操作、或いは音声や光、電波の送受に供される露出した電子部品、例えばＬＥＤランプ、スイッチ装置、無線受信器、ソケット、小型ディスプレイモジュール等に適用され、電子部品を組み付けたり交換する時、電子部品に接続された電線を固定座の上側面の長溝に通して電線を中空収容室内に収容するか或いは中空収容室より取り出すことができ、電子部品或いは電線を破壊する必要を無くし、これにより、電子部品の取り外しと交換時の便利性を増し、電子部品の破壊を防止する。このほか、使用者が固定座の二つのＵ型弾性フックを押圧することで、その形成する弾性アーム作用により、その前端のフック部がケースと係合或いは離脱し、これにより使用者の施力に便利で、直接ケース内部で交換が行なえ、大幅に固定座のケースにおける交換の便利性を増す。
【発明を実施するための最良の形態】
【００１０】
本発明の電子部品の着脱式固定座は、左側面、右側面、下側面、上側面、及び二つのＵ型弾性フックを具えている。そのうち、右側面は左側面に対応する位置にあり、下側面は左側面と右側面の下部に接続され、上側面は左側面と右側面の上部に接続されている。
【００１１】
上述の左側面、右側面、下側面、上側面は環状をなして内側に中空収容室を形成し、この中空収容室の前後は開口状とされ前端と後端を具え、且つ上側面を貫通する長溝が形成され、該長溝が前端より後端に延伸され、この長溝が中空収容室と相互に連通し、中空収容室の後端に中空収容室内部に向けて少なくとも一つのストッパ部が凸設されている。
【００１２】
このほか、二つのＵ型弾性フックが左側面と右側面より外向きに湾曲し並びに前向きに延伸され、各Ｕ型弾性フックの前端にフック部が凸設されている。
【００１３】
電子部品を組み付ける時は、電子部品に既に接続されている電線を直接上側面の長溝に通し、並びに電線を中空収容室の後端より突出させる。その後、さらに電子部品を中空収容室の後端に向けて押し込み、電子部品の末端を少なくとも一つのストッパ部に当接させる。また、電子部品が損壊し交換が必要となった時は、電子部品を中空収容室外に押し出し、さらに電線を上側面の長溝より取り出せばよい。これにより電子部品の組み付け或いは交換時に、電子部品或いは電子部品に接続された電線を破壊する必要がなく、簡単な押し出し或いは押し込みの動作で達成でき、ゆえに本発明は電子部品の交換の便利性を増し、並びに電子部品の破壊を防止できる。
【００１４】
このほか、すでに電子部品を収容した本発明の固定座をケースに固定する時、使用者は直接二つのＵ型弾性フックを押圧してそれを僅かに変形させてそれをケースの係合孔に挿入し、さらに二つのＵ型弾性フックを開放すれば、自身の弾性回復力により前端のフック部がケースに係合して固定される。このように二つのＵ型弾性フックの形成する弾性アーム作用により、使用者の施力が容易で、且つ直接ケース内部で着脱が行なえ、大幅に固定座のケースにおける着脱の便利性が増す。
【実施例１】
【００１５】
図２は本発明の第１実施例の実施状態表示図であり、図３は本発明の第１実施例の斜視図である。電子部品の着脱式固定座は、左側面４、右側面５、下側面６、上側面３、及び二つのＵ型弾性フック２１、２２を具えている。そのうち、右側面５は左側面４に対応する位置にあり、下側面６は左側面４と右側面５の下部に接続され、上側面３は左側面４と右側面５の上部に接続されている。上述の左側面４、右側面５、下側面６、上側面３は環状をなして内側に中空収容室１を形成している。
【００１６】
この中空収容室１の前後は開口状とされ前端１１（ｆｒｏｎｔ  ｅｎｄ）と後端１２（ｒｅａｒ  ｅｎｄ）を具え、且つ上側面３を貫通する長溝３１が形成され、該長溝３１が前端１１より後端１２に延伸され、この長溝３１が中空収容室１と相互に連通し、中空収容室１の後端１２に中空収容室１内部に向けて少なくとも一つのストッパ部１３が凸設されている。本実施例では該ストッパ部１３は横向きの棒（ｃｒｏｓｓ  ｂａｒ）とされている。
【００１７】
このほか、二つのＵ型弾性フック２１、２２が左側面４と右側面５より外向きに湾曲し並びに前向きに延伸され、各Ｕ型弾性フック２１、２２はそれぞれ近隣の左側面４と右側面５より適当な距離を以て前方に延伸され、並びにその前端にフック部２１１、２２１が凸設されている。
【００１８】
図２を参照されたい。電子部品７を組み付ける時は、電子部品７に既に接続されている電線７１を直接上側面３の長溝３１に通し、並びに電線７１を中空収容室１の後端１２より突出させ、さらに電子部品７を中空収容室１の後端１２に向けて押し込み、電子部品７の末端を少なくとも一つのストッパ部１３に当接させて中空収容室１内に電子部品７を収容する。また、電子部品７が損壊し交換が必要となった時は、電子部品７を中空収容室１外に押し出し、さらに電線７１を上側面３の長溝３１より取り出せばよい。これにより電子部品７の組み付け或いは交換時に、電子部品７或いは電子部品７に接続された電線７１を破壊する必要がなく、簡単な押し出し或いは押し込みの動作で達成でき、ゆえに本発明は電子部品７の交換の便利性を増し、並びに電子部品７の破壊を防止できる。
【実施例２】
【００１９】
図４は本発明の第２実施例の実施状態表示図、図５は本発明の第２実施例の断面図である。並びに図２も参照されたい。すでに電子部品７を収容した本発明の固定座をコンピュータ等のケース７２に固定する時、使用者は直接二つのＵ型弾性フック２１、２２を押圧してそれを僅かに変形させてそれをケース７２の係合孔７２１に挿入し、さらに二つのＵ型弾性フック２１、２２を開放すれば、自身の弾性回復力により前端のフック部２１１、２２１がケース７２に係合して固定される。また、取り外し時は、使用者は同様に直接二つのＵ型弾性フック２１、２２を押圧してそれを僅かに変形させれば取り出すことができる。これにより、二つのＵ型弾性フック２１、２２の形成する弾性アーム作用により、使用者の施力が容易で、且つ直接ケース内部で着脱が行なえ、大幅に固定座のケース７２における着脱の便利性が増す。
【実施例３】
【００２０】
図６は本発明の第３実施例の斜視図であり、その構造は上述の第１、第２実施例と同じであるが、違いは電子部品８０が回路板とされ、且つこの回路板に複数のＬＥＤランプ８１、スイッチ装置８２、及び赤外線受信器８３等が設けられ、また固定座８２が大きな外形を有して上述の回路板を収容することである。これにより本実施例の構造は、同様に上述の各実施例と同じ効果を達成し、且つ一つの固定座で一つの電子部品を収容するのに限定されず、必要により固定座の大きさを改変できる。
【００２１】
以上の各実施例から分かるように、本発明の電子部品の着脱式固定座は、収容する電子部品が異なる形式とされ得て、それは、外部操作、或いは音声や光、電波の送受に供される露出した電子部品、例えばＬＥＤランプ、スイッチ装置、無線受信器、ソケット、小型ディスプレイモジュール等に適用される。
【００２２】
以上の実施例は本発明の実施範囲を限定するものではなく、本発明に基づきなしうる細部の修飾或いは改変は、いずれも本発明の請求範囲に属するものとする。
【図面の簡単な説明】
【００２３】
【図１】周知の電子部品の固定座の実施状態表示図である。
【図２】本発明の第１実施例の実施状態表示図である。
【図３】本発明の第１実施例の斜視図である。
【図４】本発明の第２実施例の実施状態表示図である。
【図５】本発明の第２実施例の断面図である。
【図６】本発明の第３実施例の斜視図である。
【符号の説明】
【００２４】
１  中空収容室          １１  前端                １２  後端
１３  ストッパ部        ２１  Ｕ型弾性フック      ２１１  フック部
２２  Ｕ型弾性フック    ２２１  フック部          ３  上側面
３１  長溝              ４  左側面                ５  右側面
６  下側面              ７  電子部品              ７１  電線
７２  ケース            ７２１  係合孔            ８  固定座
８０  電子部品          ８１  ＬＥＤランプ        ８２  スイッチ装置
８３  赤外線受信器      ９  固定座                ９１  開孔
９２  フック            ９２１  前端              ９３  スイッチ装置
９４  電線              ９５  ケース              ９５１  外側
【図１】
2005086193.tif 000003
【図２】
2005086193.tif 000004
【図３】
2005086193.tif 000005
【図４】
2005086193.tif 000006
【図５】
2005086193.tif 000007
【図６】
2005086193.tif 000008